(57)【要約】【課題】  立体的効果を生み出すとともに、任意の発送者に対する印刷を簡易にする特殊用紙及び該特殊用紙を効率的に利用できるシステムを提供する。【解決手段】  台紙と、該台紙に設けられたミシン目及び折り目構成部からなる飛出し部構成機構部と、前記台紙の少なくとも該飛出し部構成機構部以外に設けられた印刷可能部とより構成される。【選択図】  図１
2004302473.tif 000002
【特許請求の範囲】
【請求項１】
台紙と、該台紙に設けられたミシン目及び折り目構成部からなる飛出し部構成機構部と、前記台紙に設けられた共通利用できる任意の初期印刷部と、前記台紙の少なくとも該飛出し部構成機構部以外に設けられた印刷可能部とよりなる特殊用紙。
【請求項２】
台紙と、該台紙に設けられたミシン目あるいは切り込み及び折り目とからなる飛出し部構成機構部と、前記台紙に設けられた共通利用できる任意の初期印刷部と、前記台紙の少なくとも該飛出し部構成機構部以外に設けられた印刷可能部と、着脱可能に飛出し部構成機構部を覆う薄いシート状のカバー体とよりなる特殊用紙。
【請求項３】
飛出し部構成機構部を有する特殊用紙情報指定欄、任意文字や図、写真等の印刷情報記載欄、注文者の氏名、住所、電話番号などの注文者情報記載欄等からなるオーダーフォームにそったオーダー情報を送信するオーダー情報送信装置と、
該オーダー情報送信装置からのオーダー情報を受信するオーダー情報受信装置と、
特殊用紙データを格納する特殊用紙データベース、顧客データベース、前記受信装置からのオーダー情報を管理するオーダー情報管理データベース、オーダー情報に基づいて製作された出力情報を格納する管理データベースを有する管理サーバーと、
該管理サーバーに接続可能な製作端末と、
製作された出力情報を送信する出力情報送信装置と、
製作された出力情報を受信する出力情報受信装置とこれを出力するプリンタを有する出力端末とより構成され、少なくとも各送受信装置は公衆回線で接続されていることを特徴とするオーダーカード作成システム。
【請求項４】
オーダー情報送信装置あるいはオーダー情報受信装置がＯＣＲ機能を備えオーダー情報の一部を自動取得できるようになっていることを特徴とする請求項３記載のオーダーカード作成システム。
【請求項５】
オーダー側と製作側の各端末がリアル画像情報入力機器および音声情報入力機器をそれぞれ備えるとともに、それぞれで取り込んだ画像情報および音声情報をそれぞれの端末に表示あるいは出力する会話手段を設けたことを特徴とする請求項３又は４請求項３記載のオーダーカード作成システム。
【発明の詳細な説明】
【技術分野】
【０００１】  本発明は、立体的効果を生み出すとともに、任意の発送者に対する印刷を簡易にする特殊用紙及び該特殊用紙を効率的に利用できるシステムに関するものである。
【背景技術】
【０００２】  従来、印刷後飛び出し部を構成するように切り込み加工、折り目加工を施したカードや書籍があった。
また、台紙本体から切り離して葉書やカードを構成するものがあった。
【発明の開示】
【発明が解決しようとする課題】
【０００３】  これら従来技術にあっては、以下のような欠点があった。
飛び出し機構を有する台紙にあっては、印刷後切り込みを入れるため、その後に印刷を施すことができなかった。また、切り離し式のものは、単純に切り離すのみで、立体的な加工は出来なかった。
本発明はこれら欠点を解決するものである。【０００４】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】  上記目的を達成するために、本発明は台紙と、該台紙に設けられたミシン目及び折り目構成部からなる飛出し部構成機構部と、前記台紙の少なくとも該飛出し部構成機構部以外に設けられた印刷可能部とより構成される。
また、これを流通するシステムとして、飛出し部構成機構部を有する特殊用紙情報指定欄、任意文字や図、写真等の印刷情報記載欄、注文者の氏名、住所、電話番号などの注文者情報記載欄等からなるオーダーフォームにそったオーダー情報を送信するオーダー情報送信装置と、
該オーダー情報送信装置からのオーダー情報を受信するオーダー情報受信装置と、
特殊用紙データベース、顧客データベース、前記受信装置からのオーダー情報を管理するオーダー情報管理データベース、オーダー情報に基づいて製作された出力情報を格納する管理データベースを有する管理サーバーと、
該管理サーバーに接続可能な製作端末と、
製作された出力情報を送信する出力情報送信装置と、
製作された出力情報を受信する出力情報受信装置とこれを出力するプリンタを有する出力端末とより構成され、少なくとも各送受信装置は公衆回線で接続構成されている。
【発明の効果】
【０００６】  以上の説明から明らかなように、本発明にあっては次に列挙する効果が得られる。
台紙と、該台紙に設けられたミシン目及び折り目構成部からなる飛出し部構成機構部と、前記台紙に設けられた共通利用できる任意の初期印刷部と、前記台紙の少なくとも該飛出し部構成機構部以外に設けられた印刷可能部とより構成されるため、プリンタを利用して飛び出し機構を有する用紙に任意の印刷を施すことが可能となった。
着脱可能に飛出し部構成機構部を覆う薄いシート状のカバー体を設けることにより、プリンタ搬送時の紙詰まりを防ぐことが可能となった。また、その形状を台紙と、該台紙に設けられたミシン目あるいは切り込み及び折り目とからなる飛出し部構成機構部と、前記台紙に設けられた共通利用できる任意の初期印刷部と、前記台紙の少なくとも該飛出し部構成機構部以外に設けられた印刷可能部と、とよりなる特殊用紙。
これをシステム化することにより、さまざまな会場でこの特殊用紙を利用したサービスを実現できるようになった。また、個人であっても利用することができるようになった。
また、オーダー側と製作側の各端末がリアル画像情報入力機器および音声情報入力機器をそれぞれ備えるとともに、それぞれで取り込んだ画像情報および音声情報をそれぞれの端末に表示あるいは出力する会話手段を設けることにより、納品前の注文受付段階あるいは製作段階において商品の確認や修正検討を正確に行うことが可能となり、返品やクレームの回避を実現することが可能となった。
【発明を実施するための最良の形態】
【０００７】  以下、本発明の第一実施形態について、図１乃至図３をもちいて説明する。
図１は本発明の展開図、図２は本発明の使用状態図、図３は本発明の使用状態図である。
図１において、台紙１は台紙折り部４を縦中心部及び横中心部に設けられている。この台紙折り部４は折り込む個所であり、何ら処理が施されたものであってもよいが、折り目にあたる位置に折り目印刷あるいは折り目を施したものであってもよい。
また、ミシン目５及び折り目６が設けられており、ミシン目５を切り離し折り目６によって折りこむことによって、前記台紙折り部４にそって折りこんだときに台紙１から立体的に飛び出す飛び出し部３を構成するようになっている。この際、折り目６に関しては折り目にこだわるのではなく、折り目処理の目安となる印刷で施すことも可能である。
本実施形態においては、ミシン目５ａと折り目６ａ、６ｂにより可動片１０を構成するようになっている。折り目６ａ、６ｂは、それぞれ山折、谷折りの役目となるものであり前方に飛び出すようになっている。この可動片１０に連動して前方に飛び出すように、ミシン目５ｂにより翼形状の飛び出し片を構成している。形状及びミシン目、折り目の組み合わせはこれに限定されず、台紙１から飛び出す飛び出し部３は様々な態様が可能である。
台紙１には共通的に使用される初期印刷部２が施されている
本実施形態では披露宴招待状であり、共通的に使用される表紙に「Ｃｌｅｂｒａｔｉｏｎ」、「Ｗｅｌｌ  ｃｏｍｅ  Ｔｏ  Ｏｕｒ  Ｗｅｄｄｉｎｇ  Ｐａｒｔｙ」の文字及びこれを装飾する枠等のデザインが印刷されている。図には記載されていないが飛び出し部あるいはその他台紙部に任意の共通印刷を施すことも可能である。
また、台紙１には顧客の状況に応じて招待文や開催会場の日時を印刷するための印刷欄が必ず設けられている。
本発明は、以上の構成よりなっている。
これを使用するときは、図１に示すように台紙１を折り曲げずミシン目５を切り離さない状態でプリンタに通し、任意の印刷を施す。本実施形態においては前述したように共通して利用できる初期印刷部２がある。印刷後は、ミシン目５ａ、５ｂを切り離し、折り目６をそれぞれの折り方に合わせて折込み、可動片１０を前方に飛び出すようにする。この際、この可動片１０にそってその他飛び出し部が前方に飛び出す。本実施形態においては翼の部分が前方に飛び出すようになっている。
これを更に台紙折り部４に沿って折り曲げ、任意の最終形状とする。本発明においては片面だけの印刷で表紙及びその内容がわかるように縦及び横に台紙折り部が構成されており、これにより図２に示すように左右に開く形状となっている。これを開くと図３に示すように翼部を含んだ飛び出し部が前方に飛び出し開いた招待者に感動を与える事ができる。
尚、両面に印刷を施すことも可能である。【０００８】  以下、本発明の第二実施形態について図４及ぶ図５をもちいて説明する。
図４は、本発明の第二実施形態の側面図、図５は本発明の第二実施形態の斜視図、である。
本事例において、飛び出し部３の印刷時の引っかかり及びインクの不慮のふっかかりを防ぐために薄いシート状のカバー部７が設けられている。
カバー部７は、台紙１の飛び出し片側の側片で折り返して飛び出し部３の表裏面を塞ぐようになっている。図４においては、カバー部７の両先端に沿って接着層８が設けられており、折り返し部とこの接着層８によりカバー部７は台紙１に固定されるとともに飛び出し片３をカバーしている。尚、接着層に関してはこの位置に限定されるものではなく、印刷時紙送りに支障を与えない範囲でカバー部を固定する機能を果たす個所であればよい。
また、ミシン目に関しては、カバー部で覆われるため、あらかじめ飛び出し部として利用できるように切り込みとすることも可能である。
本発明は以上の構成よりなる。
これを使用するときは、図５に示すように初期印刷部２を有する台紙１を開いたままで、カバー部７の折り返し部を先端としてプリンタに差し込み、印刷欄に任意に印刷を施す。印刷後カバー部７をはがし、ミシン目を切り離し、台紙折り部４にしたがって折り曲げ飛び出し部を構成させる。
このカバー部７をもちいることで、印刷時飛び出し部に対し不慮のインクの噴きかかりを防ぐ効果もあげられる。【０００９】  以下、本発明の第三実施形態について図６及び図７をもちいて説明する。
図６は、本発明の第三実施形態の分解図、図７は本発明のカバー部の背面図である。
本発明においては、披露宴での席表にもちいた例である。カバー部７は台紙１の片面をカバーするような大きさ形状よりなっている。また本実施形態においては、カバー部７の接着層８はその一辺に接着層が設けられている。これはプリンタ印刷時搬送される向きにあわせて先頭となる位置を固定させるものである。尚、このカバー体は印刷面側のみに構成されていても良いが、裏面にも飛び出し部をカバーするようにもちいることも可能である。【００１０】  以下、本発明の第四実施形態について図８及び図１０をもちいて説明する。
図８は本発明の第四実施形態のカバー部の背面図、図９は本発明の第四実施形態の正面図、図１０は本発明の第四実施形態の使用状態図である。
本発明において、カバー部７はハートの形状をしている。接着層８は、その外周に設けられ、台紙１に固定されるようになっている。
使用方法としては、前述した各実施形態と同様であるが、カバー部７に意識的にインクを噴きつけることで図１０に示すように、カバー部がマスキングの役割をなし、取り外した状態でカバー部７のハート状の輪郭が現れ、新たな印刷効果を得る事ができる。【００１１】  以下、本発明の第五実施の形態として、この特殊用紙を利用した流通システムを図１１乃至図１３をもちいて説明する。
図１１は本発明の第五実施形態のシステム図、図１２は本発明の第五実施形態の申込書を示す図、図１３は本発明の第五実施形態の操作画面図である。
まず本システムは、公衆回線１２に印刷端末２３と管理サーバー２２が接続されている。管理サーバー２２は、製作センターに設置されたもので、送受信部１４ｂを介して公衆端末に接続されている。また、管理サーバー２２には特殊用紙データベース１８、顧客データベース１９、オーダー情報管理データベース２０の各種データベースがあり、制御部１５ｂで各種制御がなされている。
特殊用紙データベース１８は、各種サイズ、折込パターン、飛び出しパターン、定型出力データベース、デザインパターン等よりなる複数の特殊用紙データが格納されている。顧客データベース１９は発注した顧客の住所、氏名、電話番号などの顧客データが格納されている。オーダー情報管理データベース２０には、飛出し部構成機構部を有する特殊用紙情報指定欄、任意文字や図、写真等の印刷情報記載欄、注文者の氏名、住所、電話番号などの注文者情報記載欄等からなるオーダーフォームにそったオーダー情報が格納されている。製品管理データベース２１には、オーダー情報にそって作成された製品の指定用紙にそって出力できるように出力データを含んだ製品データが格納されている。
また、管理データベース２２には製作端末２４が接続されており、この製作端末で製作をおこなうようになっている。
オーダー情報がＦＡＸでくることも可能であり、これに応じるようにＦＡＸ１３ｂが公衆回線に接続されている。この場合、スキャナ２５をデータ読み取り装置として使用することが考えられる。
ブライダル会場、ブライダル受付などの各種会場等には、任意のオーダーフォームにそったオーダー用紙を送るためにＦＡＸ１３ａが設けられている。但し、オーダーフォームを画面上に表示させ、コンピュータ上でデータの入力およびオーダー情報を送信するときにはＦＡＸ１３ａはなくてもかまわない。
また各種会場等には、印刷端末２３も送受信装置１４ａを介して公衆回線１２に接続されている。印刷端末２３は特殊用紙データベース１８を有している。制御部１５ａでは、製品情報と特殊用紙データベース１８の情報から最終商品の完成画像を画面上で確認できるとともに、接続されたプリンタにより印刷することができる。
以下、その使用例を説明する。
店舗において、顧客は希望する特殊用紙、デザイン、定型文書などを決める。そして、その内容を図１２に示す申込書に記入する。これを店舗側はＦＡＸで製作センターに送る。これをＦＡＸで受けた製作センターは、スキャナで読み込みオーダー情報をデータベースに保管する。また、これを製作端末で処理し、出力データを作成する。操作画面は図１３に示すように、申込書をレイアウトし表示する画面と、それを見て入力、製作する画面にわかれており、これを利用して製作する。出力データはデータベースに保存されるとともに、送受信装置を利用して、出力端末に送信される。これを出力端末で確認し、正しければ、そのまま印刷する。もし違う場合は、製作センターに連絡し、修正する。また、出力端末も出力データを保管するデータベースをもつことも可能である。
申し込みに関しては、書面以外に、画面上で入力することも可能である。また、申込書が紙であっても、ＦＡＸや端末内のソフトにＯＣＲ機能を有するものを利用することも可能である。
また、申込書の送付は店舗に限定されず、個人のＦＡＸや端末上からでも可能である。【００１２】  以下、本発明の第六実施の形態として、この特殊用紙を利用した流通システムを図１４乃至図１５をもちいて説明する。
図１４は本発明の第六実施形態のシステム図、図１５は本発明の第六実施形態の操作画面図である。
本事例の発明において、オーダー側システムとして図では印刷端末にＣＣＤカメラ３０およびマイク３１が設けられている。また、製作側のシステムとして製作端末２４にＣＣＤカメラ３０およびマイク３１が設けられている。
それぞれこれら接続機器により、画像情報と音声情報を取り込むことが可能であり、それぞれの端末は、取り込んだ情報をモニタ上に表示できるように制御されている。
本システムの利用方法について、以下事例を挙げて説明する。
本システムを利用することによって、注文受付段階あるいは製作段階において、依頼者と印刷内容や状況の確認を実施することができる。
すなわち、指定の特殊カードや仮印刷した場合の見本をカメラを通して相手に取り込み、これを相手側端末のモニタに表示させる。図１５はその画面の事例であり、右側にデータ入力表示部２９を表示させ、左側にカメラ画像表示部３２が表示されている。この画像に関しては、相手側に限定されるのではなく、画像切替操作部３４により相手画像はもとより、自身の画像、商品サンプル例の画像など、さまざまな画像に切り替えることができる。また、その画像の拡大や縮小などもできるようにすることで、全体イメージや詳細な箇所に関するチェックが可能となっている。
更に、マイクで取り込んだ音声を双方あるいは相手側に出力できるようになっているので、画像を会話をしながらの確認、検討作業が可能となっている。また、修正箇所の支持などのために、画像上に書き込むペンやそれを消す消しゴム、更に元に戻る等の各種画像ツールがツール選択部３３から選択利用することができるようになっており、これを利用することでより正確な打ち合わせが可能となっている。
本事例においては、ＣＣＤカメラ３０およびマイク３１が印刷端末と製作端末に接続されたものとして説明したが、このシステムに限定されるのではなく、依頼者側が操作できる端末であれば印刷端末に限定されず、単独の確認端末を利用することも可能である。
同様に、製作側の端末に関しても、製作端末に限定されるのではなく、管理サーバー２２に単独の確認端末として接続したものであってもよい。
【図面の簡単な説明】
【００１３】
【図１】本発明の展開図
【図２】本発明の使用状態図
【図３】本発明の使用状態図
【図４】本発明の第二実施形態の側面図
【図５】本発明の第二実施形態の斜視図
【図６】本発明の第三実施形態の分解図
【図７】本発明のカバー部の背面図
【図８】本発明の第四実施形態のカバー部の背面図
【図９】本発明の第四実施形態の正面図
【図１０】本発明の第四実施形態の使用状態図
【図１１】本発明の第五実施形態のシステム図
【図１２】本発明の第五実施形態の申込書を示す図
【図１３】本発明の第五実施形態の操作画面図
【図１４】本発明の第六実施形態のシステム図
【図１５】本発明の第六実施形態の操作画面図
【符号の説明】
【００１４】  １  台紙、                          ２  初期印刷部、
３  飛び出し部、                    ４  台紙折り部、
５；５ａ；５ｂ  ミシン目、          ６；６ａ；６ｂ  折り目、
７  カバー部、                      ８  接着層、
９  印刷部、                      １０  可動片、
１１  申込書、                    １２  公衆回線、
１３；１３ａ；１３ｂ  ＦＡＸ、    １４；１４ａ；１４ｂ  送受信部、
１５；１５ａ；１５ｂ  制御部、    １６  プリンタ、
１７  定型出力情報データベース、  １８  特殊用紙データベース、
１９  顧客データベース、          ２０  オーダー情報管理データベース、
２１  製品管理データベース、      ２２  管理サーバー、
２３  印刷端末、                  ２４  製作端末、
２５  スキャナ、                  ２６  特殊用紙データ指定欄
２７  定型出力データ指定欄、      ２８  レイアウト表示部、
２９  データ入力表示部、          ３０  ＣＣＤカメラ、
３１  マイク、                    ３２  カメラ画像表示部、
３３  ツール選択部、              ３４  画像切替操作部
【図１】
2004302473.tif 000003
【図２】
2004302473.tif 000004
【図３】
2004302473.tif 000005
【図４】
2004302473.tif 000006
【図５】
2004302473.tif 000007
【図６】
2004302473.tif 000008
【図７】
2004302473.tif 000009
【図８】
2004302473.tif 000010
【図９】
2004302473.tif 000011
【図１０】
2004302473.tif 000012
【図１１】
2004302473.tif 000013
【図１２】
2004302473.tif 000014
【図１３】
2004302473.tif 000015
【図１４】
2004302473.tif 000016
【図１５】
2004302473.tif 000017